(57)【要約】【課題】モジュラジャックの高密度配置を可能とするとともに、モジュラジプラグの取り外し作業が容易なパッチパネルを提供することにある。【解決手段】パネル部材１は８個のモジュラジャック３が４個ずつ上下２列に並べて配置しており、上段の列の各開口窓２に臨む４個のモジュラジャック３ではコンタクト５が下側でモジュラプラグの解除レバーを嵌める溝６が上側となり、逆に下段の列の各開口窓２に臨む４個のモジュラジャック３ではコンタクト５が上側でモジュラプラグの解除レバーを嵌める溝６が下側となる。【選択図】図１
2005209392.tif 000002
【特許請求の範囲】
【請求項１】
モジュラプラグが着脱自在に接続されるモジュラジャックのプラグ接続口を前面側に臨ませ、複数のモジュラジャックが上段と下段に配したパネル材を有し、
上段の開口窓に臨むプラグ接続口に差し込まれるモジュラプラグの解除レバーと、下段の開口窓に臨むプラグ接続口に差し込まれるモジュラプラグの解除レバーとが、両開口窓の隣接側とは反対側に位置するようにモジュラジャックを配ししたことを特徴とするパッチパネル。
【請求項２】
モジュラプラグが着脱自在に接続されるモジュラジャックのプラグ接続口を前面側に臨ませ、複数のモジュラジャックが上段と下段に配したパネル材を有し、
上段の各開口窓に臨むプラグ接続口の中央位置が、下段の開口窓の位置より外れるように上段と下段のモジュラジャックをずらしていることを特徴とするパッチパネル。
【発明の詳細な説明】
【技術分野】
【０００１】
本発明は、情報配線システムに用いるパッチパネルに関するものである。
【背景技術】
【０００２】
従来、オフィスや工場等において、音声信号、ＬＡＮ等のディジタル信号、画像信号といった様々な情報を伝達するために、ツイストペアケーブルを用いた情報配線システムが広く用いられている。このような情報配線システムでは、オフィスのレイアウト変更等の理由により情報配線の変更が必要となる場合に備えて、パッチパネルと称するネットワークの配線作業を支援するための中継端子盤が提供されている。
【０００３】
このようなパッチパネルは、例えばモジュラプラグが着脱自在に接続されるプラグ接続口が前面に開口するモジュラジャックと、背面側から差し込まれるモジュラジャックを保持する保持手段及び該保持手段に保持されたモジュラジャックの前面を露出させる開口窓を具備して被取付部位に取着されるパネル部材とで構成されていた（例えば特許文献１参照）。
【０００４】
このようなパッチパネルにおいて、モジュラジャックを高密度に取り付けるために、最近では、図６に示すようにパネル部材１に上下２列で等間隔に開口窓２を複数形成し、それぞれの開口窓２に対応してその裏側に設けられる保持手段にモジュラジャック３を保持させ、モジュラジャック３のプラグ接続口４を開口窓２よりパネル材１の前面側に臨ませたものが提供されている。
【特許文献１】特許第３４８２９０７号公報（図４）
【発明の開示】
【発明が解決しようとする課題】
【０００５】
上述した図６の高密度のパッチパネルは、複数のモジュラジャック３のコンタクト５が図において上側に位置し、プラグ接続口４に差し込まれるモジュラプラグ（図示せず）の解除レバー（図示せず）を嵌める溝６が図において下側に位置するように保持手段にモジュラジャック３を保持する構成であるため、上下方向に並んでいるモジュラジャック３、３にモジュラプラグ（図示せず）がそれぞれ差し込まれた場合、図において上側に位置するモジュラジャック３に差し込まれたモジュラジャックの解除レバーの先部が、下側のモジュラジャック３のプラグ接続口４より外部にはみ出たモジュラプラグ(図示せず)のボディに近接するため、上側のモジュラプラグ(図示せず)の解除レバーを手の指で操作する際に指を入れるための隙間が小さくなり、モジュラプラグ(図示せず)の取り外し作業がやり難いという問題があった。
【０００６】
本発明は上記問題点に鑑みて為されたものであり、その目的とするところは、モジュラジプラグの取り外し作業が容易なパッチパネルを提供することにある。
【課題を解決するための手段】
【０００７】
上記目的を達成するために、請求項１の発明では、モジュラプラグが着脱自在に接続されるモジュラジャックのプラグ接続口を前面側に臨ませ、複数のモジュラジャックが上段と下段に配したパネル材を有し、上段の開口窓に臨むプラグ接続口に差し込まれるモジュラプラグの解除レバーと、下段の開口窓に臨むプラグ接続口に差し込まれるモジュラプラグの解除レバーとが、両開口窓の隣接側とは反対側に位置するようにモジュラジャックを配ししたことを特徴とする。
【０００８】
請求項２の発明では、モジュラプラグが着脱自在に接続されるモジュラジャックのプラグ接続口を前面側に臨ませ、複数のモジュラジャックが上段と下段に配したパネル材を有し、上段の各開口窓に臨むプラグ接続口の中央位置が、下段の開口窓の位置より外れるように上段と下段のモジュラジャックをずらしていることを特徴とする。
【発明の効果】
【０００９】
請求項１の発明によれば、一方の段のモジュラジャックのプラグ接続口に差し込まれているモジュラプラグの解除レバーを操作して取り外す際に他方の段のモジュラジャックに差し込まれたモジュラプラグと、解除レバーとの間に指を入れる隙間を確保することができ、そのため取り外し作業が容易に行えるという効果がある。
【００１０】
請求項２の発明によれば、一方の段のモジュラジャックのプラグ接続口に差し込まれたモジュラプラグの解除レバーを操作して取り外す際に、他方の段のモジュラジャックに邪魔されることなく操作することができ、そのため取り外し作業が容易に行えるという効果がある。
【発明を実施するための最良の形態】
【００１１】
以下に本発明の実施の形態を図面に基づいて説明する。
【００１２】
（実施形態１）
本発明の実施形態１を図１〜図３に基づいて説明する。尚、以下の説明では特に断りが無いかぎり、図１、図２において上下左右の方向を規定し、正面を前面と言う。
【００１３】
本実施形態のパッチパネルは、複数(例えば８個)のモジュラジャック３と、各モジュラジャック３を保持してラックなどの被取付部位に取り付けられるパネル部材１とで構成される。
【００１４】
モジュラジャック３は、図３に示すように、前面が矩形状に形成され前面の略中央にモジュラプラグ（図示せず）が着脱自在に接続されるプラグ接続口４を開口させたプラグ接続台７と、プラグ接続口４の内部に配列されモジュラプラグ(図示せず)の接触子に弾接する複数本（本実施形態では８本）の線状のコンタクト５と、各コンタクト５にそれぞれ電気的に接続されるとともに絶縁被覆電線である電線が接続される複数個（本実施形態では８個）の電線接続端子（図示せず）が配設されプラグ接続台７の後部に結合された端子台７０とを有するジャック本体３０を備え、端子台７０のうち少なくとも電線接続端子が配設された部位を覆う保護キャップ８が着脱自在に結合されている。
【００１５】
端子台７０の左右両側部には下側に開放された電線挿入溝９が前後方向に４つずつ形成されており、各々の電線挿入溝９の内部には電線接続端子が配設されている。各電線接続端子は、下縁に開放された圧接スリット(図示せず)を有する二股のフォーク状に形成されており、厚み方向が端子台７０の左右方向に一致するように配列されている。
【００１６】
一方、パネル部材１は、複数のモジュラジャック３を上下２段に並べて高密度に保持するもので、ラック等の被取付部にはフレーム(図示せず)を介して取り付けられる。
【００１７】
パネル部材１はＰＢＴなどの樹脂成型品からなり、前面が横長の略矩形状であってモジュラジャック３の前面を露出させる開口窓２を上下２段に４個ずつ左右方向に等間隔で並べて形成しており、上段の列の開口窓２の形成位置と下段の列の開口窓２の形成位置とを１対１で対応するように同じ位置としてある。
【００１８】
パネル部材１の背面側には、ジャック本体３０前端部の上下左右の側面をそれぞれ支持する当接片１１が開口窓２の開口縁から後方に突設され、図３において上側の当接片１１の後端部からは、後方より挿入されるジャック本体３０の図３において上側面をガイドするガイド片１２が後方に向かって延出している。尚図２及び後述する実施形態２の図４ではこのガイド片１２は省略して図示している。
【００１９】
また、下側の当接片１１の左右両側部からは一対のアーム１３が後方に向かって突出し、ジャック本体３０の下面に対向配置されるロック片１４の前後方向の中間部が連結部１５を介してアーム１３に回動自在に連結されている。そしてロック片１４の上面(図３において）にはジャック本体３０の上面に設けた係止突部１６と係止離脱自在に係止する係止爪１７が突設されている。ここにガイド片１２とロック片１４とで保持手段が構成されている。
【００２０】
尚図３はコンタクト５側が上側に位置するようにプラグジャック３を取り付ける保持手段、つまり図１に示す下段の列の開口窓２に対応する保持手段の構成を示しているが、上段の列の開口窓２に対応する保持手段はその構成が図３に構成とは上下が逆、つまりコンタクト５が下側に位置するようにプラグジャック３を保持する構成となっている。
【００２１】
ここで、本実施形態のパッチパネルのパネル部材１にモジュラジャック３を取り付ける手順を図３により説明する。ジャック本体３０の向きを合わせて、パネル部材１の背面側からガイド片１２とロック片１４との間にジャック本体３０を挿入し、ジャック本体３０の前面がパネル部材１の前面と略同一面となる位置までジャック本体３０を挿入すると、ジャック本体３０の前端部が当接片１１と当接して上下左右への移動が規制されるとともに、ジャック本体３０の左右両側面の突起(図示せず)が当接片１１の後縁に当接してジャック本体３０の前方への移動が規制され、さらにロック片１４の係止爪１７がジャック本体３０の係止突部１６と係止して、ジャック本体３０の抜けが防止される。ここに係止爪１７と係止突部１６とが係止する際には、係止突部１６及び  係止爪１７にそれぞれ設けたテーパ面と、ロック片１４とアーム２７ｂとを連結する連結部の弾性とによって容易に係止できるようになっている。
【００２２】
本実施形態のパッチパネルは以上のような構成により、図１に示すようにパネル部材１に８個のモジュラジャック３を４個ずつ上下２段で左右方向に並べて配置することができるのである。ここで、上段の列の４個のモジュラジャック３ではコンタクト５が下側でモジュラプラグ(図示せず)の解除レバーを嵌める溝６が上側となり、逆に下段の列の４個のモジュラジャック３ではコンタクト５が上側でモジュラプラグ(図示せず)の解除レバーを嵌める溝６が下側となる。従って上列のモジュラジャック３のプラグ接続口４に差し込まれるモジュラプラグ(図示せず)の解除レバーの位置と、隣接する下列のモジュラジャック３のプラグ接続口４に同様に差し込まれるモジュラプラグ(図示せず)の解除レバーの位置が上下の開口窓２，２が隣接する側とは反対側に位置することになり、そのため一方の列のモジュラプラグ(図示せず)の解除レバーと、他方の列の同じ位置にあるモジュラプラグ(図示せず)のボディとの間に指を入れる隙間を確保することができ、そのためモジュラプラグ(図示せず）をモジュラジャック３から取り外す作業が容易に行えることになる。
【００２３】
（実施形態２）
上記実施形態１は、上下の各列のモジュラジャック３の取付ピッチは略同じ取付ピッチであり、モジュラジャック３の配列方向（左右方向）において一方の列（１列目）のモジュラジャック３の位置と、他方の列（２列目）のモジュラジャック３の位置とを一致させ且つ取付方向を線対称的としているが、本実施形態では、図４，図５に示すように一方の列（１列目）のモジュラジャック３の位置と、他方の列（２列目）のモジュラジャック３の位置とをずらすことで、８個のモジュラジャック３を千鳥状に配置している。つまり一方の列の開口窓２に臨むモジュラジャック３のプラグ接続口４の中央位置が、他方の列の開口窓２より側方に外れた位置となるように位置を列方向にずらしてある。従って両列のモジュラジャック３の取付方向を同じ方向としても、プラグ接続口４に差し込まれるモジュラプラグ(図示せず)の解除レバーが他方の列の開口窓２，２間に位置するため、解除操作の際に指を入れる隙間を他方のモジュラジャック３のプラグ接続口４に差し込まれているモジュラプラグ(図示せず)のボディ或いは解除レバーに邪魔されること無く確保することができる。
【００２４】
而して本実施形態にあっても、解除操作時に指を入れる隙間を確保することができ、そのためモジュラプラグ(図示せず）をモジュラジャック３から外す作業が容易に行えることになる。
【００２５】
尚本実施形態においても、上下の２列のモジュラャック３の取付方向を実施形態１と同様に線対称的としても勿論良い。
【図面の簡単な説明】
【００２６】
【図１】実施形態１の正面図である。
【図２】実施形態１の斜視図である。
【図３】実施形態１の要部の断面図である。
【図４】実施形態２の正面図である。
【図５】実施形態２の斜視図である。
【図６】従来例の正面図である。
【符号の説明】
【００２７】
１    パネル部材
２    開口窓
３    モジュラジャック
４    プラグ接続口
５    コンタクト
６    溝
【図１】
2005209392.tif 000003
【図２】
2005209392.tif 000004
【図３】
2005209392.tif 000005
【図４】
2005209392.tif 000006
【図５】
2005209392.tif 000007
【図６】
2005209392.tif 000008